(57)【要約】      （修正有）【課題】視線が遮られることがなく、最良の視野及び品質が得られ、走行上の安全性を向上できる取外し可能なヘッドアップディスプレイ及び反射片装置を提供する。【解決手段】取外し可能な反射片装置及び表示モジュールを含むヘッドアップディスプレイであって、反射片装置Ａは、反射片１、基盤２、及び第一固定片４を有し、反射片は片側に組合せ部を設け、基盤は底部と組合せ部を結合し、基盤の頂部には第一スライド溝２１を設置し、第一固定片を第一スライド溝に差し込む。表示モジュールは、表示ユニット、ベース、回路板、及び第二固定片を備え、表示ユニットは、回路板に電気的に接続し、回路板が出力する映像を受信し、映像を反射片装置の反射片に映し出す。ベースの頂部には第二スライド溝を設置し、第二固定片を第二スライド溝に差し込む。第一固定片と第二固定片は光透過性材質であり、上面に接着剤を有し、フロントガラスに粘着させる。【選択図】図２
0003208279.tif 000002
【実用新案登録請求の範囲】
【請求項１】
反射片、基盤、第一固定片を備える取外し可能な反射片装置であって、
前記反射片は、その片側に組合せ部を備え、
前記基盤は、その底部と前記組合せ部を結合し、前記基盤の頂部には第一スライド溝を設置し、
前記第一固定片は、前記第一スライド溝に差し込むことを特徴とする取外し可能な反射片装置。
【請求項２】
前記第一固定片は光透過性材質であり、前記第一固定片の上面に接着剤を有し、前記第一固定片をフロントガラスに粘着させるのに用いることを特徴とする請求項１記載の取外し可能な反射片装置。
【請求項３】
前記取外し可能な反射片装置は、さらに角度調整モジュールを含み、
前記角度調整モジュールは、第一全回転ジョイント、回転軸構造、及び第二全回転ジョイントを備え、
前記第一全回転ジョイントは、前記基盤の底部前端と前記組合せ部の片側に設置し、
前記第二全回転ジョイントは、前記基盤の底部後端に設置し、
前記回転軸構造は、前記第二全回転ジョイントと前記組合せ部のもう一方側に設置することを特徴とする請求項１に記載の取外し可能な反射片装置。
【請求項４】
前記基盤はさらにＣ型リング及び第一全回転ジョイントを含み、前記Ｃ型リングは前記第一全回転ジョイントに嵌着することを特徴とする請求項３記載の取外し可能な反射片装置。
【請求項５】
取外し可能な反射片装置及び表示モジュールを含む取外し可能なヘッドアップディスプレイであって、
前記取外し可能な反射片装置は、反射片、基盤、及び第一固定片を有し、前記反射片は、その片側に組合せ部を設け、前記基盤は、その底部と前記組合せ部を結合し、前記基盤の頂部には第一スライド溝を設置し、前記第一固定片を前記第一スライド溝に差し込み、
前記表示モジュールは、表示ユニット、ベース、回路板、及び第二固定片を備え、前記表示ユニットは、前記回路板に電気的に接続し、前記回路板が出力する映像を受信し、映像を映し出す働きをし、前記ベースの頂部に前記第二スライド溝を設置し、前記第二固定片を前記第二スライド溝に差し込むことを特徴とする取外し可能なヘッドアップディスプレイ。
【請求項６】
前記第一固定片と前記第二固定片は光透過性材質であり、前記第一固定片と前記第二固定片の上面に接着剤を有し、前記第一固定片と前記第二固定片をフロントガラスに粘着させるのに用いることを特徴とする請求項５記載の取外し可能なヘッドアップディスプレイ。
【請求項７】
前記表示モジュールは回転軸部をさらに含むことを特徴とする請求項５記載の取外し可能なヘッドアップディスプレイ。
【請求項８】
前記取外し可能な反射片装置は、さらに角度調整モジュールを含み、
前記角度調整モジュールは、第一全回転ジョイント、回転軸構造、及び第二全回転ジョイントを備え、
前記第一全回転ジョイントは、前記基盤の底部前端と前記組合せ部の片側に設置し、
前記第二全回転ジョイントは、前記基盤の底部後端に設置し、
前記回転軸構造は、前記第二全回転ジョイントと前記組合せ部のもう一方側に設置することを特徴とする請求項５記載の取外し可能なヘッドアップディスプレイ。
【請求項９】
前記回路板はさらに操作部、無線モジュール、スピーカー、及び受信部を含むことを特徴とする請求項５記載の取外し可能なヘッドアップディスプレイ。
【請求項１０】
前記基盤はさらにＣ型リング及び第一全回転ジョイントを含み、前記Ｃ型リングは前記第一全回転ジョイントに嵌着させることを特徴とする請求項８記載の取外し可能なヘッドアップディスプレイ。
【考案の詳細な説明】
【技術分野】
【０００１】
本考案は、取外し可能なヘッドアップディスプレイ及び反射片装置を提供する。
【背景技術】
【０００２】
ヘッドアップディスプレイ（Ｈｅａｄ  Ｕｐ  Ｄｉｓｐｌａｙ）が自動車に広く使用されているのは、走行の安全性を向上できるからである。それ故に、多くの自動車製造メーカーがこのヘッドアップディスプレイを配備し、ヘッドアップディスプレイの取付け及び使用によって運転者の注意力の散漫を改善している。従来のヘッドアップディスプレイの応用技術は、特許文献１〜１１に開示されるとおりである。
【０００３】
以上の従来の特許文献に関する技術内容及びそれを実際に応用した経験からみると、一般のヘッドアップディスプレイ（Ｈｅａｄ  Ｕｐ  Ｄｉｓｐｌａｙ）は、実際の使用上にやはりある欠点が残る。その中でも反射片が動いてしまうことは最大の問題点である。反射片が動いてしまう問題点は、運転者のモニターを見ること及び走行品質に直接影響を与えるものである。一般に反射片が動く原因は主に、自動車のインストルメントパネルがエンジンやクーラーによる振動を受けたことにある。
【０００４】
反射片の揺れの問題を解決するために、本考案の考案者は先行の特許文献１２において抗振動技術を開示し、反射片の揺れの問題を克服している。特許文献１２の実際の応用及び実施状況からみて、反射片の揺れの問題は確実に解決されており、振動減少効果を実現している。ヘッドアップディスプレイの反射片の使用では、安定した固定及び抗振動という要求に応じなければならない他、フロントガラスで視線が遮られる面積を極力少なくする必要がある。故に、反射片の固定は粘着がメインとなっているが、粘着後には取外しの問題が残る。しかも、不使用時や掃除時には取外しが非常に難しく、取外し後は両面テープを貼り直さなければ粘着できないという問題もあり、ドライバーを困惑させている。残念なことに、これらの欠点を解決する技術方案は現在に至るまでまだ見出されていないのである。
【先行技術文献】
【特許文献】
【０００５】
【特許文献１】台湾特許第Ｍ５１６２９３号明細書
【特許文献２】台湾特許第Ｍ４９７１１３号明細書
【特許文献３】台湾特許第Ｍ５１０８６６号明細書
【特許文献４】台湾特許第Ｉ５０９２８７号明細書
【特許文献５】台湾特許第Ｍ５１４０７８号明細書
【特許文献６】台湾特許第Ｍ５１５１１１号明細書
【特許文献７】台湾特許第Ｉ５１８３６９号明細書
【特許文献８】台湾特許第Ｍ４６２６９２号明細書
【特許文献９】台湾特許公開第２０１５３４４９９号明細書
【特許文献１０】台湾特許公開第２０１４３２３１１号明細書
【特許文献１１】台湾特許公開第２０１５３７２２０号明細書
【特許文献１２】台湾特許第Ｍ５１７６９５号明細書
【考案の概要】
【考案が解決しようとする課題】
【０００６】
以上のような従来のヘッドアップディスプレイの欠点に鑑み、本考案者は研究や改善を繰り返し、本考案の取外し可能なヘッドアップディスプレイ及び反射片装置を完成させるに至った。
【課題を解決するための手段】
【０００７】
本考案を創作した一つ目の目的は、取り外した後に視線が遮られる状況を減らすことのできる取外し可能な反射片装置を提供することにある。それは、取外し可能な構造を使い、取り外した後のフロントガラスには簡単な透明の薄片だけが残されるため、ドライバーの視線が遮られることなく、ドライバーは最良の視野が得られ、走行上の安全性を向上させることができる。
【０００８】
本考案を創作した二つ目の目的は、取り外した後に視線が遮られる状況を減らすことのできる取外し可能なヘッドアップディスプレイを提供することにある。それは、取外し可能な構造を使い、取り外した後のフロントガラスには簡単な透明の薄片だけが残されるため、ドライバーの視線が遮られることなく、ドライバーは最良の視野が得られ、走行上の安全性を向上させることができる。
【０００９】
上述した創作目的を実現するために、本考案は、反射片、基盤、及び第一固定片を含む第一実施形態の取外し可能な反射片装置を提供する。
【００１０】
反射片は、その片側に組合せ部を有する。
【００１１】
基盤は、その底部と組合せ部を結合し、基盤の頂部には第一スライド溝を設置する。
【００１２】
第一固定片は、第一スライド溝に差し込む。
【００１３】
第一固定片は光透過性材質とし、第一固定片の上面に接着剤を有し、第一固定片をフロントガラスに粘着させるのに用いる。
【００１４】
本考案の取外し可能な反射片装置はさらに角度調整モジュールを含む。角度調整モジュールは、第一全回転ジョイント、回転軸構造、及び第二全回転ジョイントを備える。第一全回転ジョイントは、基盤の底部前端と組合せ部の片側に設置し、第二全回転ジョイントは、基盤の底部後端に設置する。回転軸構造は、第二全回転ジョイントと組合せ部のもう一方側に設置する。
【００１５】
上述の基盤はさらにＣ型リングを含む。Ｃ型リングは第一全回転ジョイントに嵌着する。
【００１６】
本考案の第二実施形態の取外し可能なヘッドアップディスプレイは下記のとおりである。
【００１７】
取外し可能な反射片装置は、反射片、基盤、及び第一固定片を有する。反射片は、その片側に組合せ部を設ける。基盤底部と組合せ部を結合し、基盤の頂部には第一スライド溝を設置し、第一固定片を第一スライド溝に差し込む。
【００１８】
表示モジュールは、表示ユニット、ベース、回路板、及び第二固定片を備える。表示ユニットは、回路板に電気的に接続し、回路板が出力した映像を受信し、映像を映し出すものである。ベースの頂部に第二スライド溝を設置し、第二固定片を第二スライド溝に差し込む。
【００１９】
第一固定片と第二固定片は光透過性材質である。第一固定片と第二固定片の上面には接着剤を有し、第一固定片と第二固定片をフロントガラスに粘着させるのに用いる。
【００２０】
表示モジュールはさらに回転軸部を含む。
【００２１】
取外し可能な反射片装置は、さらに角度調整モジュールを含む。角度調整モジュールは、第一全回転ジョイント、回転軸構造、及び第二全回転ジョイントを有する。第一全回転ジョイントは基盤の底部前端と組合せ部の片側に設置する。第二全回転ジョイントは基盤の底部後端に設置する。回転軸構造は第二全回転ジョイントと組合せ部のもう一方側に設置する。
【００２２】
回路板はさらに操作部、無線モジュール、スピーカー、及び受信部を含む。
【００２３】
基盤は、Ｃ型リングをさらに含み、Ｃ型リングを第一全回転ジョイントに嵌着させる。
【考案の効果】
【００２４】
本考案の取外し可能な反射片装置Ａと表示モジュールＢは、それぞれが独立分離して配置されるものであり、両者の間には連結する部材は使われていない。これには次のような長所がある。
１.自動車のインストルメントパネルは、エンジン或いはクーラーの動きによって発生する振動を受けるが、取外し可能な反射片装置Ａのモニターの画像品質に影響を及ぼすことはなく、非常に良好な振動減少効果が得られる。
２.本考案の取外し可能な反射片装置Ａと表示モジュールＢの間には連接部材を一切使用しない。よって、視覚を遮るものを増やすことなく、ドライバーはよりよい視野が保て、走行時の安全性を高める助けとなる。
【図面の簡単な説明】
【００２５】
【図１】本考案の第一実施形態による取外し可能なヘッドアップディスプレイ及び反射片装置の立体外観図である。
【図２】本考案の第一実施形態による取外し可能なヘッドアップディスプレイ及び反射片装置の立体分解図である。
【図３】本考案の第一実施形態による取外し可能なヘッドアップディスプレイ及び反射片装置の取付け図である。
【図４】本考案の第二実施形態による取外し可能なヘッドアップディスプレイ及び反射片装置の立体外観図である。
【図５】本考案の第二実施形態による取外し可能なヘッドアップディスプレイ及び反射片装置の取付け図である。
【図６】本考案の第二実施形態による取外し可能なヘッドアップディスプレイ及び反射片装置のモジュールブロック図である。
【図７】本考案の具体的な実施形態を示す図である。
【考案を実施するための形態】
【００２６】
［実施例１］
図１、２、３に示すとおり、本考案の第一実施形態の取外し可能な反射片装置Ａは、反射片１、基盤２、角度調整モジュール３、第一固定片４を含む。
【００２７】
反射片１は、その片側に組合せ部１１を有する。組合せ部１１は、組合せ前部１１２、組合せ後部１１３、複数のねじ１１４を備える。組合せ前部１１２と組合せ後部１１３は反射片１を挟み込んで固定し、複数のねじ１１４は組合せ前部１１２と組合せ後部１１３を螺着して固定する。反射片１は光透過反射効果を備える凹面鏡である。
【００２８】
基盤２は、その底部と組合せ部１１を結合し、基盤２の頂部には第一スライド溝２１を設置し、基盤２の片側と組合せ部１１を連接させる。
【００２９】
第一固定片４は、第一スライド溝２１に差し込む。取外し可能な反射片装置Ａを取り外した後、走行時の視線が遮られる状況を減らすために、第一固定片４は光透過性材質とする。第一固定片４の上面に接着剤を有し、第一固定片４をフロントガラスＷに粘着させるのに用いる。
【００３０】
本考案の取外し可能な反射片装置Ａはさらに角度調整モジュール３を含む。角度調整モジュール３は、第一全回転ジョイント３１、回転軸構造３２、及び第二全回転ジョイント３３を備える。第一全回転ジョイント３１は、基盤２の底部前端に設置し、並びに組合せ部１１の片側にある第一ボールヘッド１１１を嵌着させる。第二全回転ジョイント３３は、基盤２の底部後端に設置する。回転軸構造３２は、組合せ部１１のもう一方側に設置し、回転軸３２２を挿入して組合せ部１１と回転軸構造３２を結合させる。また、回転軸構造３２の第二ボールヘッド３２１と第二全回転ジョイント３３を嵌着させる。以上の構造により反射片１を上下左右に限度内で簡単に動かして微調整でき、ドライバーに最良の視覚角度を提供する。基盤２はさらにＣ型リング２２を含む。Ｃ型リング２２は第一全回転ジョイント３１に嵌着し、第一全回転ジョイント３１の緊密度を高めることで反射片１の揺れを抑える働きをする。
【００３１】
図４、図５、図６には本考案の第二実施形態を示す。本考案の取外し可能なヘッドアップディスプレイは、取外し可能な反射片装置Ａ及び表示モジュールＢを含む。
【００３２】
取外し可能な反射片装置Ａは、反射片１、基盤２、及び第一固定片４を有する。
【００３３】
反射片１は、その片側に組合せ部１１を設ける。組合せ部１１は、組合せ前部１１２、組合せ後部１１３、複数のねじ１１４を有する。組合せ前部１１２と組合せ後部１１３で反射片１を挟み込んで固定し、複数のねじ１１４で組合せ前部１１２と組合せ後部１１３を螺着して固定する。反射片１は透明反射効果を有する凹面鏡である。
【００３４】
基盤２は、その底部と組合せ部１１を結合し、基盤２の頂部には第一スライド溝２１を設置する。
【００３５】
第一固定片４は、第一スライド溝２１に差し込む。取外し可能な反射片装置Ａを取り外した後、走行時の視線が遮られる状況を減らすために、第一固定片４は光透過性材質とする。第一固定片４の上面に接着剤を有し、第一固定片４の上面をフロントガラスＷに粘着させるのに用いる。
【００３６】
表示モジュールＢは、表示ユニット５、ベース６、回路板７、及び第二固定片８を備える。回路板７は、処理器７１を含み、処理器７１は、データ処理コントロール、関連情報の処理、情報の画面への出力を行う。表示ユニット５は、回路板７に電気的に接続し、回路板７が出力した映像を受信し、映像を映し出す働きをする。ベース６の頂部に、第二固定片８を差し込むための第二スライド溝６１を設置する。
【００３７】
図３はさらに角度調整モジュール３を含む取外し可能な反射片装置Ａである。角度調整モジュール３は、第一全回転ジョイント３１、回転軸構造３２、及び第二全回転ジョイント３３を有する。第一全回転ジョイント３１は基盤２の底部前端に設置し、組合せ部１１片側の第一ボールヘッド１１１に嵌着させる。第二全回転ジョイント３３は基盤２の底部後端に設置する。回転軸構造３２は組合せ部１１のもう一方側に設置し、回転軸３２２を挿入して組合せ部１１と回転軸構造３２を結合させる。また、回転軸構造３２の第二ボールヘッド３２１と第二全回転ジョイント３３を嵌着させる。以上の構造により反射片１を上下左右の限度内で回転させて簡単に調整を行い、ドライバーに最良の視覚角度を提供する。基盤２はさらにＣ型リング２２を含む。Ｃ型リング２２は第一全回転ジョイント３１に嵌着し、第一全回転ジョイント３１の緊密度を高めることで反射片１の揺れを抑える働きをする。
【００３８】
上述の表示モジュールＢはさらに回転軸部９を含む。回転軸部９を用いることで、表示モジュールＢを左右に限度のある方向転換をして微調整を簡単に行い、ドライバーに最良の視覚角度を提供する。
【００３９】
上述の第二固定片８は、その上面に接着剤を有し、第二固定片８をフロントガラスＷに粘着させるのに用いる。
【００４０】
上述の第二固定片８は、光透過性材質であり、表示モジュールＢを取り外した後、走行時に視線が遮られる状況を減らす働きをする。
【００４１】
上述の反射片１は光透過反射効果を有する凹面鏡である。反射片１は、凹面鏡の虚像を拡大するか、同比率で虚像の距離を遠くして、表示モジュールＢが投射する映像を反射拡大する。
【００４２】
図６に示すとおり、回路板７はさらに操作部７２、無線モジュール７３、スピーカー７４及び受信部７５を含む。
【００４３】
上述の操作部７２は、表示モジュールＢに設け、ヘッドアップディスプレイの機能操作を行う。
【００４４】
無線モジュール７３は、電子装置Ｅの無線伝送による信号データを受信し、ブルートゥース（登録商標）或いはＷｉＦｉ（登録商標）である。
【００４５】
スピーカー７４は、音声メッセージを放送方式でドライバーに告げるものである。スピーカー７４は、電子装置Ｅから伝えられる音声ファイルを流したり、音声ファイルを警告音とするのに用いられる。
【００４６】
受信部７５は、音声メッセージを受信し、ハンズフリーとして使われる。
【００４７】
図７は、本考案の第一実施形態及び第二実施形態の取付け図である。図３及び図５を同時に参照すると、取外し可能な反射片装置Ａは、第一固定片４上面の接着剤によって第一固定片４をフロントガラスＷに貼り付け、それと同様に、表示モジュールＢもまた、第二固定片８上面の接着剤によって第二固定片８をフロントガラスＷに貼り付ける。
【００４８】
本考案の取外し可能な反射片装置Ａと表示モジュールＢは取外し可能な構造であり、第一固定片４、第二固定片８は光透過性材質である。よって、本考案の取外し可能な反射片装置Ａ及び表示モジュールＢをフロントガラスＷから取り外した後、第一固定片４、第二固定片８はフロントガラスＷ上に残されるが、簡単な透明の薄片であり、光を通過させる透明部材である故、ドライバーの視野を遮ることがなく、走行時の安全性にも影響を及ぼすことはない。
【００４９】
上述の実施形態の説明を総合すると、本考案の取外し可能なヘッドアップディスプレイ及び反射片装置は、取外し可能な構造を使い、第一固定片及び第二固定片を光透過性材質によって製作することで、取り外した後のフロントガラスに残されるのは簡単な透明の薄片だけであるため、ドライバーの視線が遮られることがなく、ドライバーは最良の視野及び品質が得られ、走行上の安全性を向上させることができる。また、取外し可能な反射片装置と表示モジュールそれぞれが独立分離して配置される故、取外し可能な反射片装置が自動車のエンジンやクーラーの動きによる振動を受けることがなく、非常に良好な振動減少効果を得ることができる。よって、本考案は、現有するヘッドアップディスプレイ及び反射片装置にある様々な欠点を効果的に解決し、用いられる技術手段は先行技術にはなく、新規性及び進歩性という要件を満たすものである。
【００５０】
ただし、本考案の説明中に開示した実施形態は、単に本考案の技術内容を説明するために用いたものであり、これによって本考案の実用新案登録請求の範囲に制限を加えるものではない。即ち、本考案の実用新案登録請求の範囲に基づいて、同等効果を有する変化は、全て、本考案の範囲内に属するものとする。
【符号の説明】
【００５１】
１    反射片
１１    組合せ部
１１１    第一ボールヘッド
１１２    組合せ前部
１１３    組合せ後部
１１４    ねじ
２    基盤
２１    第一スライド溝
２２    Ｃ型リング
３    角度調整モジュール
３１    第一全回転ジョイント
３２    回転軸構造
３２１    第二ボールヘッド
３２２    回転軸
３３    第二全回転ジョイント
４    第一固定片
５    表示ユニット
６    ベース
６１    第二スライド溝
７    回路板
７１    処理器
７２    操作部
７３    無線モジュール
７４    スピーカー
７５    受信部
８    第二固定片
９    回転軸部
Ａ    取外し可能な反射片装置
Ｂ    表示モジュール
Ｅ    電子装置
Ｗ    フロントガラス
【図１】
0003208279.tif 000003
【図２】
0003208279.tif 000004
【図３】
0003208279.tif 000005
【図４】
0003208279.tif 000006
【図５】
0003208279.tif 000007
【図６】
0003208279.tif 000008
【図７】
0003208279.tif 000009
【手続補正書】
【提出日】平成28年10月27日(2016.10.27)
【手続補正１】
【補正対象書類名】明細書
【補正対象項目名】全文
【補正方法】変更
【補正の内容】
【考案の詳細な説明】
【技術分野】
【０００１】
本考案は、取外し可能なヘッドアップディスプレイ及び反射片装置を提供する。
【背景技術】
【０００２】
ヘッドアップディスプレイ（Ｈｅａｄ  Ｕｐ  Ｄｉｓｐｌａｙ）が自動車に広く使用されているのは、走行の安全性を向上できるからである。それ故に、多くの自動車製造メーカーがこのヘッドアップディスプレイを配備し、ヘッドアップディスプレイの取付け及び使用によって運転者の注意力の散漫を改善している。従来のヘッドアップディスプレイの応用技術は、特許文献１〜１１に開示されるとおりである。
【０００３】
以上の従来の特許文献に関する技術内容及びそれを実際に応用した経験からみると、一般のヘッドアップディスプレイ（Ｈｅａｄ  Ｕｐ  Ｄｉｓｐｌａｙ）は、実際の使用上にやはりある欠点が残る。その中でも反射片が動いてしまうことは最大の問題点である。反射片が動いてしまう問題点は、運転者のモニターを見ること及び走行品質に直接影響を与えるものである。一般に反射片が動く原因は主に、自動車のインストルメントパネルがエンジンやクーラーによる振動を受けたことにある。
【０００４】
反射片の揺れの問題を解決するために、本考案の考案者は先行の特許文献１２において抗振動技術を開示し、反射片の揺れの問題を克服している。特許文献１２の実際の応用及び実施状況からみて、反射片の揺れの問題は確実に解決されており、振動減少効果を実現している。ヘッドアップディスプレイの反射片の使用では、安定した固定及び抗振動という要求に応じなければならない他、フロントガラスで視線が遮られる面積を極力少なくする必要がある。故に、反射片の固定は粘着がメインとなっているが、粘着後には取外しの問題が残る。しかも、不使用時や掃除時には取外しが非常に難しく、取外し後は両面テープを貼り直さなければ粘着できないという問題もあり、ドライバーを困惑させている。残念なことに、これらの欠点を解決する技術方案は現在に至るまでまだ見出されていないのである。
【先行技術文献】
【特許文献】
【０００５】
【特許文献１】台湾特許第Ｍ５１６２９３号明細書
【特許文献２】台湾特許第Ｍ４９７１１３号明細書
【特許文献３】台湾特許第Ｍ５１０８６６号明細書
【特許文献４】台湾特許第Ｉ５０９２８７号明細書
【特許文献５】台湾特許第Ｍ５１４０７８号明細書
【特許文献６】台湾特許第Ｍ５１５１１１号明細書
【特許文献７】台湾特許第Ｉ５１８３６９号明細書
【特許文献８】台湾特許第Ｍ４６２６９２号明細書
【特許文献９】台湾特許公開第２０１５３４４９９号明細書
【特許文献１０】台湾特許公開第２０１４３２３１１号明細書
【特許文献１１】台湾特許公開第２０１５３７２２０号明細書
【特許文献１２】台湾特許第Ｍ５１７６９５号明細書
【考案の概要】
【考案が解決しようとする課題】
【０００６】
以上のような従来のヘッドアップディスプレイの欠点に鑑み、本考案者は研究や改善を繰り返し、本考案の取外し可能なヘッドアップディスプレイ及び反射片装置を完成させるに至った。
【課題を解決するための手段】
【０００７】
本考案を創作した一つ目の目的は、取り外した後に視線が遮られる状況を減らすことのできる取外し可能な反射片装置を提供することにある。それは、取外し可能な構造を使い、取り外した後のフロントガラスには簡単な透明の薄片だけが残されるため、ドライバーの視線が遮られることなく、ドライバーは最良の視野が得られ、走行上の安全性を向上させることができる。
【０００８】
本考案を創作した二つ目の目的は、取り外した後に視線が遮られる状況を減らすことのできる取外し可能なヘッドアップディスプレイを提供することにある。それは、取外し可能な構造を使い、取り外した後のフロントガラスには簡単な透明の薄片だけが残されるため、ドライバーの視線が遮られることなく、ドライバーは最良の視野が得られ、走行上の安全性を向上させることができる。
【０００９】
上述した創作目的を実現するために、本考案は、反射片、基盤、及び第一固定片を含む第一実施形態の取外し可能な反射片装置を提供する。
【００１０】
反射片は、その片側に組合せ部を有する。
【００１１】
基盤は、その底部と組合せ部を結合し、基盤の頂部には第一スライド溝を設置する。
【００１２】
第一固定片は、第一スライド溝に差し込む。
【００１３】
第一固定片は光透過性材質とし、第一固定片の上面に接着剤を有し、第一固定片をフロントガラスに粘着させるのに用いる。
【００１４】
本考案の取外し可能な反射片装置はさらに角度調整モジュールを含む。角度調整モジュールは、第一全回転ジョイント、回転軸構造、及び第二全回転ジョイントを備える。第一全回転ジョイントは、基盤の底部前端と組合せ部の片側に設置し、第二全回転ジョイントは、基盤の底部後端に設置する。回転軸構造は、第二全回転ジョイントと組合せ部のもう一方側に設置する。
【００１５】
上述の基盤はさらにＣ型リングを含む。Ｃ型リングは第一全回転ジョイントに嵌着する。
【００１６】
本考案の第二実施形態の取外し可能なヘッドアップディスプレイは下記のとおりである。
【００１７】
取外し可能な反射片装置は、反射片、基盤、及び第一固定片を有する。反射片は、その片側に組合せ部を設ける。基盤底部と組合せ部を結合し、基盤の頂部には第一スライド溝を設置し、第一固定片を第一スライド溝に差し込む。
【００１８】
表示モジュールは、表示ユニット、ベース、回路板、及び第二固定片を備える。表示ユニットは、回路板に電気的に接続し、回路板が出力した映像を受信し、映像を前記取外し可能な反射片装置の前記反射片に映し出す働きをする。ベースの頂部に第二スライド溝を設置し、第二固定片を第二スライド溝に差し込む。
【００１９】
第一固定片と第二固定片は光透過性材質である。第一固定片と第二固定片の上面には接着剤を有し、第一固定片と第二固定片をフロントガラスに粘着させるのに用いる。
【００２０】
表示モジュールはさらに回転軸部を含む。
【００２１】
取外し可能な反射片装置は、さらに角度調整モジュールを含む。角度調整モジュールは、第一全回転ジョイント、回転軸構造、及び第二全回転ジョイントを有する。第一全回転ジョイントは基盤の底部前端と組合せ部の片側に設置する。第二全回転ジョイントは基盤の底部後端に設置する。回転軸構造は第二全回転ジョイントと組合せ部のもう一方側に設置する。
【００２２】
回路板はさらに操作部、無線モジュール、スピーカー、及び受信部を含む。
【００２３】
基盤は、Ｃ型リングをさらに含み、Ｃ型リングを第一全回転ジョイントに嵌着させる。
【考案の効果】
【００２４】
本考案の取外し可能な反射片装置Ａと表示モジュールＢは、それぞれが独立分離して配置されるものであり、両者の間には連結する部材は使われていない。これには次のような長所がある。
１.自動車のインストルメントパネルは、エンジン或いはクーラーの動きによって発生する振動を受けるが、取外し可能な反射片装置Ａのモニターの画像品質に影響を及ぼすことはなく、非常に良好な振動減少効果が得られる。
２.本考案の取外し可能な反射片装置Ａと表示モジュールＢの間には連接部材を一切使用しない。よって、視覚を遮るものを増やすことなく、ドライバーはよりよい視野が保て、走行時の安全性を高める助けとなる。
【図面の簡単な説明】
【００２５】
【図１】本考案の第一実施形態による取外し可能なヘッドアップディスプレイ及び反射片装置の立体外観図である。
【図２】本考案の第一実施形態による取外し可能なヘッドアップディスプレイ及び反射片装置の立体分解図である。
【図３】本考案の第一実施形態による取外し可能なヘッドアップディスプレイ及び反射片装置の取付け図である。
【図４】本考案の第二実施形態による取外し可能なヘッドアップディスプレイ及び反射片装置の立体外観図である。
【図５】本考案の第二実施形態による取外し可能なヘッドアップディスプレイ及び反射片装置の取付け図である。
【図６】本考案の第二実施形態による取外し可能なヘッドアップディスプレイ及び反射片装置のモジュールブロック図である。
【図７】本考案の具体的な実施形態を示す図である。
【考案を実施するための形態】
【００２６】
［実施例１］
図１、２、３に示すとおり、本考案の第一実施形態の取外し可能な反射片装置Ａは、反射片１、基盤２、角度調整モジュール３、第一固定片４を含む。
【００２７】
反射片１は、その片側に組合せ部１１を有する。組合せ部１１は、組合せ前部１１２、組合せ後部１１３、複数のねじ１１４を備える。組合せ前部１１２と組合せ後部１１３は反射片１を挟み込んで固定し、複数のねじ１１４は組合せ前部１１２と組合せ後部１１３を螺着して固定する。反射片１は光透過反射効果を備える凹面鏡である。
【００２８】
基盤２は、その底部と組合せ部１１を結合し、基盤２の頂部には第一スライド溝２１を設置し、基盤２の片側と組合せ部１１を連接させる。
【００２９】
第一固定片４は、第一スライド溝２１に差し込む。取外し可能な反射片装置Ａを取り外した後、走行時の視線が遮られる状況を減らすために、第一固定片４は光透過性材質とする。第一固定片４の上面に接着剤を有し、第一固定片４をフロントガラスＷに粘着させるのに用いる。
【００３０】
本考案の取外し可能な反射片装置Ａはさらに角度調整モジュール３を含む。角度調整モジュール３は、第一全回転ジョイント３１、回転軸構造３２、及び第二全回転ジョイント３３を備える。第一全回転ジョイント３１は、基盤２の底部前端に設置し、並びに組合せ部１１の片側にある第一ボールヘッド１１１を嵌着させる。第二全回転ジョイント３３は、基盤２の底部後端に設置する。回転軸構造３２は、組合せ部１１のもう一方側に設置し、回転軸３２２を挿入して組合せ部１１と回転軸構造３２を結合させる。また、回転軸構造３２の第二ボールヘッド３２１と第二全回転ジョイント３３を嵌着させる。以上の構造により反射片１を上下左右に限度内で簡単に動かして微調整でき、ドライバーに最良の視覚角度を提供する。基盤２はさらにＣ型リング２２を含む。Ｃ型リング２２は第一全回転ジョイント３１に嵌着し、第一全回転ジョイント３１の緊密度を高めることで反射片１の揺れを抑える働きをする。
【００３１】
図４、図５、図６には本考案の第二実施形態を示す。本考案の取外し可能なヘッドアップディスプレイは、取外し可能な反射片装置Ａ及び表示モジュールＢを含む。
【００３２】
取外し可能な反射片装置Ａは、反射片１、基盤２、及び第一固定片４を有する。
【００３３】
反射片１は、その片側に組合せ部１１を設ける。組合せ部１１は、組合せ前部１１２、組合せ後部１１３、複数のねじ１１４を有する。組合せ前部１１２と組合せ後部１１３で反射片１を挟み込んで固定し、複数のねじ１１４で組合せ前部１１２と組合せ後部１１３を螺着して固定する。反射片１は透明反射効果を有する凹面鏡である。
【００３４】
基盤２は、その底部と組合せ部１１を結合し、基盤２の頂部には第一スライド溝２１を設置する。
【００３５】
第一固定片４は、第一スライド溝２１に差し込む。取外し可能な反射片装置Ａを取り外した後、走行時の視線が遮られる状況を減らすために、第一固定片４は光透過性材質とする。第一固定片４の上面に接着剤を有し、第一固定片４の上面をフロントガラスＷに粘着させるのに用いる。
【００３６】
表示モジュールＢは、表示ユニット５、ベース６、回路板７、及び第二固定片８を備える。回路板７は、処理器７１を含み、処理器７１は、データ処理コントロール、関連情報の処理、情報の画面への出力を行う。表示ユニット５は、回路板７に電気的に接続し、回路板７が出力した映像を受信し、映像を前記取外し可能な反射片装置の前記反射片に映し出す働きをする。ベース６の頂部に、第二固定片８を差し込むための第二スライド溝６１を設置する。
【００３７】
図３はさらに角度調整モジュール３を含む取外し可能な反射片装置Ａである。角度調整モジュール３は、第一全回転ジョイント３１、回転軸構造３２、及び第二全回転ジョイント３３を有する。第一全回転ジョイント３１は基盤２の底部前端に設置し、組合せ部１１片側の第一ボールヘッド１１１に嵌着させる。第二全回転ジョイント３３は基盤２の底部後端に設置する。回転軸構造３２は組合せ部１１のもう一方側に設置し、回転軸３２２を挿入して組合せ部１１と回転軸構造３２を結合させる。また、回転軸構造３２の第二ボールヘッド３２１と第二全回転ジョイント３３を嵌着させる。以上の構造により反射片１を上下左右の限度内で回転させて簡単に調整を行い、ドライバーに最良の視覚角度を提供する。基盤２はさらにＣ型リング２２を含む。Ｃ型リング２２は第一全回転ジョイント３１に嵌着し、第一全回転ジョイント３１の緊密度を高めることで反射片１の揺れを抑える働きをする。
【００３８】
上述の表示モジュールＢはさらに回転軸部９を含む。回転軸部９を用いることで、表示モジュールＢを左右に限度のある方向転換をして微調整を簡単に行い、ドライバーに最良の視覚角度を提供する。
【００３９】
上述の第二固定片８は、その上面に接着剤を有し、第二固定片８をフロントガラスＷに粘着させるのに用いる。
【００４０】
上述の第二固定片８は、光透過性材質であり、表示モジュールＢを取り外した後、走行時に視線が遮られる状況を減らす働きをする。
【００４１】
上述の反射片１は光透過反射効果を有する凹面鏡である。反射片１は、凹面鏡の虚像を拡大するか、同比率で虚像の距離を遠くして、表示モジュールＢが投射する映像を反射拡大する。
【００４２】
図６に示すとおり、回路板７はさらに操作部７２、無線モジュール７３、スピーカー７４及び受信部７５を含む。
【００４３】
上述の操作部７２は、表示モジュールＢに設け、ヘッドアップディスプレイの機能操作を行う。
【００４４】
無線モジュール７３は、電子装置Ｅの無線伝送による信号データを受信し、ブルートゥース（登録商標）或いはＷｉＦｉ（登録商標）である。
【００４５】
スピーカー７４は、音声メッセージを放送方式でドライバーに告げるものである。スピーカー７４は、電子装置Ｅから伝えられる音声ファイルを流したり、音声ファイルを警告音とするのに用いられる。
【００４６】
受信部７５は、音声メッセージを受信し、ハンズフリーとして使われる。
【００４７】
図７は、本考案の第一実施形態及び第二実施形態の取付け図である。図３及び図５を同時に参照すると、取外し可能な反射片装置Ａは、第一固定片４上面の接着剤によって第一固定片４をフロントガラスＷに貼り付け、それと同様に、表示モジュールＢもまた、第二固定片８上面の接着剤によって第二固定片８をフロントガラスＷに貼り付ける。
【００４８】
本考案の取外し可能な反射片装置Ａと表示モジュールＢは取外し可能な構造であり、第一固定片４、第二固定片８は光透過性材質である。よって、本考案の取外し可能な反射片装置Ａ及び表示モジュールＢをフロントガラスＷから取り外した後、第一固定片４、第二固定片８はフロントガラスＷ上に残されるが、簡単な透明の薄片であり、光を通過させる透明部材である故、ドライバーの視野を遮ることがなく、走行時の安全性にも影響を及ぼすことはない。
【００４９】
上述の実施形態の説明を総合すると、本考案の取外し可能なヘッドアップディスプレイ及び反射片装置は、取外し可能な構造を使い、第一固定片及び第二固定片を光透過性材質によって製作することで、取り外した後のフロントガラスに残されるのは簡単な透明の薄片だけであるため、ドライバーの視線が遮られることがなく、ドライバーは最良の視野及び品質が得られ、走行上の安全性を向上させることができる。また、取外し可能な反射片装置と表示モジュールそれぞれが独立分離して配置される故、取外し可能な反射片装置が自動車のエンジンやクーラーの動きによる振動を受けることがなく、非常に良好な振動減少効果を得ることができる。よって、本考案は、現有するヘッドアップディスプレイ及び反射片装置にある様々な欠点を効果的に解決し、用いられる技術手段は先行技術にはなく、新規性及び進歩性という要件を満たすものである。
【００５０】
ただし、本考案の説明中に開示した実施形態は、単に本考案の技術内容を説明するために用いたものであり、これによって本考案の実用新案登録請求の範囲に制限を加えるものではない。即ち、本考案の実用新案登録請求の範囲に基づいて、同等効果を有する変化は、全て、本考案の範囲内に属するものとする。
【符号の説明】
【００５１】
１    反射片
１１    組合せ部
１１１    第一ボールヘッド
１１２    組合せ前部
１１３    組合せ後部
１１４    ねじ
２    基盤
２１    第一スライド溝
２２    Ｃ型リング
３    角度調整モジュール
３１    第一全回転ジョイント
３２    回転軸構造
３２１    第二ボールヘッド
３２２    回転軸
３３    第二全回転ジョイント
４    第一固定片
５    表示ユニット
６    ベース
６１    第二スライド溝
７    回路板
７１    処理器
７２    操作部
７３    無線モジュール
７４    スピーカー
７５    受信部
８    第二固定片
９    回転軸部
Ａ    取外し可能な反射片装置
Ｂ    表示モジュール
Ｅ    電子装置
Ｗ    フロントガラス
【手続補正２】
【補正対象書類名】実用新案登録請求の範囲
【補正対象項目名】全文
【補正方法】変更
【補正の内容】
【実用新案登録請求の範囲】
【請求項１】
反射片、基盤、第一固定片を備える取外し可能な反射片装置であって、
前記反射片は、その片側に組合せ部を備え、
前記基盤は、その底部と前記組合せ部を結合し、前記基盤の頂部には第一スライド溝を設置し、
前記第一固定片は、前記第一スライド溝に差し込むことを特徴とする取外し可能な反射片装置。
【請求項２】
前記第一固定片は光透過性材質であり、前記第一固定片の上面に接着剤を有し、前記第一固定片をフロントガラスに粘着させるのに用いることを特徴とする請求項１記載の取外し可能な反射片装置。
【請求項３】
前記取外し可能な反射片装置は、さらに角度調整モジュールを含み、
前記角度調整モジュールは、第一全回転ジョイント、回転軸構造、及び第二全回転ジョイントを備え、
前記第一全回転ジョイントは、前記基盤の底部前端と前記組合せ部の片側に設置し、
前記第二全回転ジョイントは、前記基盤の底部後端に設置し、
前記回転軸構造は、前記第二全回転ジョイントと前記組合せ部のもう一方側に設置することを特徴とする請求項１に記載の取外し可能な反射片装置。
【請求項４】
前記基盤はさらにＣ型リング及び第一全回転ジョイントを含み、前記Ｃ型リングは前記第一全回転ジョイントに嵌着することを特徴とする請求項３記載の取外し可能な反射片装置。
【請求項５】
取外し可能な反射片装置及び表示モジュールを含む取外し可能なヘッドアップディスプレイであって、
前記取外し可能な反射片装置は、反射片、基盤、及び第一固定片を有し、前記反射片は、その片側に組合せ部を設け、前記基盤は、その底部と前記組合せ部を結合し、前記基盤の頂部には第一スライド溝を設置し、前記第一固定片を前記第一スライド溝に差し込み、  前記表示モジュールは、表示ユニット、ベース、回路板、及び第二固定片を備え、前記表示ユニットは、前記回路板に電気的に接続し、前記回路板が出力する映像を受信し、映像を前記取外し可能な反射片装置の前記反射片に映し出す働きをし、前記ベースの頂部に前記第二スライド溝を設置し、前記第二固定片を前記第二スライド溝に差し込むことを特徴とする取外し可能なヘッドアップディスプレイ。
【請求項６】
前記第一固定片と前記第二固定片は光透過性材質であり、前記第一固定片と前記第二固定片の上面に接着剤を有し、前記第一固定片と前記第二固定片をフロントガラスに粘着させるのに用いることを特徴とする請求項５記載の取外し可能なヘッドアップディスプレイ。
【請求項７】
前記表示モジュールは回転軸部をさらに含むことを特徴とする請求項５記載の取外し可能なヘッドアップディスプレイ。
【請求項８】
前記取外し可能な反射片装置は、さらに角度調整モジュールを含み、
前記角度調整モジュールは、第一全回転ジョイント、回転軸構造、及び第二全回転ジョイントを備え、
前記第一全回転ジョイントは、前記基盤の底部前端と前記組合せ部の片側に設置し、
前記第二全回転ジョイントは、前記基盤の底部後端に設置し、
前記回転軸構造は、前記第二全回転ジョイントと前記組合せ部のもう一方側に設置することを特徴とする請求項５記載の取外し可能なヘッドアップディスプレイ。
【請求項９】
前記回路板はさらに操作部、無線モジュール、スピーカー、及び受信部を含むことを特徴とする請求項５記載の取外し可能なヘッドアップディスプレイ。
【請求項１０】
前記基盤はさらにＣ型リング及び第一全回転ジョイントを含み、前記Ｃ型リングは前記第一全回転ジョイントに嵌着させることを特徴とする請求項８記載の取外し可能なヘッドアップディスプレイ。